(57)【要約】【課題】簡単な装置で場所をとらず、はたおり機の構造および作用等を正確に理解できるとともに、織成の準備も簡単に行なえ、教材用としては勿論のこと、パッチワーク等のホビー用にも使用することができるはたおり機を提供できるようにする。【解決手段】少なくとも一対の対辺に糸を掛止する掛止部を設けた平面視矩形の枠体と、当該枠体の掛止部間にわたって略平行に張設された経糸の中寄り部に開口部を形成する開口具と、開口部で開口された経糸に緯糸を挿入する緯糸挿入具と、開口部に挿入された緯糸を織前側に梳いて目を詰める筬打ち具とを備え、開口具は、経糸に平行な枠体の対辺の側面部分に揺動アームを揺動可能に枢支し、枢支された一対の揺動アーム間にわたって経糸挿通孔を有する開口部を設けた開口部支持部材を取り付け、開口部の経糸挿通孔を経糸の１つ置きの間隔とし、揺動アームを揺動可能にした。【選択図】図１
2008280648.tif 000002
【特許請求の範囲】
【請求項１】
少なくとも一対の対辺に糸を掛止する掛止部を設けた平面視矩形の枠体と、当該枠体の掛止部間にわたって略平行に張設された経糸の中寄り部に開口部を形成する開口具と、開口部で開口された経糸に緯糸を挿入する緯糸挿入具と、開口部に挿入された緯糸を織前側に梳いて目を詰める筬打ち具とを備え、開口具は、経糸に平行な枠体の対辺の側面部分に揺動アームを揺動可能に枢支し、枢支された一対の揺動アーム間にわたって経糸挿通孔を有する開口部を設けた開口部支持部材を取り付け、開口部の経糸挿通孔を経糸の１つ置きの間隔とし、揺動アームを揺動させることにより、経糸挿通孔を通した経糸が経糸挿通孔を通さない経糸の上若しくは下に昇降して開口部が交互に切り替わり、交互に切り替わる開口部に緯糸を挿入し、挿入された緯糸を筬打ち具で目を詰めて生地を製織するように構成したことを特徴とするはたおり機。
【請求項２】
開口部が、開口部が、経糸挿通孔を通さない経糸の上または下に形成された状態を保持する姿勢保持手段を枠体と揺動アームとの間に設けられたことを特徴とする請求項１に記載のはたおり機。
【発明の詳細な説明】
【技術分野】
【０００１】
本発明は主として教材用やホビー用として使用されるはたおり機に関するものである。
【背景技術】
【０００２】
一般に織機といわれるものは経糸と緯糸を交差させて織布を形成するもので、１本の糸をリンクさせる編み物とは区別される。
ところで、織機は昔より日本の基幹産業を支えてきたものであり、その機構を理解するのは有意義なものである。
ところが、今日の織機ではその生産性を向上させるために高速化されており、実際に稼働中の織機を見るだけでは十分に理解するのが難しいと言う問題があった。
【０００３】
一方、小さなハギレ布をつないで小物を作ったりする趣味のパッチワークでは、好みに合った多品種で少量の布切れを探して集めなくてはならず、その蒐集に多大の手間を要するとともに、過不足が生じ不経済になってしまうと言う問題もあった。
【０００４】
そこで、こうした問題に対して、昔の織機を略そのままスケールダウンさせたような模型が提案されている。
この模型は交互に上下動する綜絖（ワイヤーヘルド）を備えた織機模型の上手側に整経台（クリール）を配設し、この整経台から供給される経糸を綜絖で交互に開口させ、この開口ごとに緯糸を打ち込むことにより布を織成するようにしたものである。
【０００５】
ところがこうしたものでは、整経台を備えていることから、連続するテープ状の長い布を織成する分には有効ではあるが、整経台を備えている分、大型のものとなり、はたおり機の機構を理解するための教材としては無駄が多く不向きなものとなってしまうと言う問題があった。
【０００６】
更に、経糸を開口させるために最小限二枚の綜絖を必要とし高価になるうえ、綜絖を上下動する連動機構のために構造も複雑になると言う問題もある。
加えて、すべての経糸を綜絖に通す経通しに手間を要し、織成までの前段階に多大の時間を要してしまうと言う問題もある。
【特許文献１】特開２００４−２６３３２９号公報
【発明の開示】
【発明が解決しようとする課題】
【０００７】
本発明は上記問題点に鑑み提案されたもので、簡単な装置で場所をとらず、はたおり機の構造および作用等を正確に理解できるとともに、織成の準備も簡単に行なえ、教材用としては勿論のこと、パッチワーク等のホビー用にも使用することができるはたおり機を提供できるようにすることを目的とするものである。
【課題を解決するための手段】
【０００８】
上記目的を達成するために本発明にかかるはたおり機は、少なくとも一対の対辺に糸を掛止する掛止部を設けた平面視矩形の枠体と、当該枠体の掛止部間にわたって略平行に張設された経糸の中寄り部に開口部を形成する開口具と、開口部で開口された経糸に緯糸を挿入する緯糸挿入具と、開口部に挿入された緯糸を織前側に梳いて目を詰める筬打ち具とを備え、開口具は、経糸に平行な枠体の対辺の側面部分に揺動アームを揺動可能に枢支し、枢支された一対の揺動アーム間にわたって経糸挿通孔を有する開口部を設けた開口部支持部材を取り付け、開口部の経糸挿通孔を経糸の１つ置きの間隔とし、揺動アームを揺動させることにより、経糸挿通孔を通した経糸が経糸挿通孔を通さない経糸の上若しくは下に昇降して開口部が交互に切り替わり、交互に切り替わる開口部に緯糸を挿入し、挿入された緯糸を筬打ち具で目を詰めて生地を製織するように構成したことを最も主要な特徴とするものである。
【０００９】
また、本発明にかかるはたおり機は、開口部が、経糸挿通孔を通さない経糸の上又は下に形成された状態を保持する姿勢保持手段を枠体と揺動アームとの間に設けられたことも特徴とするものである。
【発明の効果】
【００１０】
本発明にかかるはたおり機は上記のように、一対の対辺に糸を掛止する掛止部を設けた平面視矩形の枠体と、当該枠体の掛止部間にわたって略平行に張設された経糸の中寄り部に開口部を形成する開口具と、開口部で開口された経糸に緯糸を挿入する緯糸挿入具と、開口部に挿入された緯糸を織前側に梳いて目を詰める筬打ち具とを備え、開口具は、経糸に平行な枠体の対辺の側面部分に揺動アームを揺動可能に枢支し、枢支された一対の揺動アーム間にわたって経糸挿通孔を有する開口部を設けた開口部支持部材を取り付け、開口部の経糸挿通孔を経糸の１つ置きの間隔に形成し、揺動アームを揺動させることにより、開口部が交互に切り替わり、交互に切り替わる開口部に緯糸を挿入し、挿入された緯糸を筬打ち具で目を詰めて生地を製織することができるので、はたおり機の構造や作用を正確に理解することができる。
【００１１】
これにより、先の提案のもののように、整経台等の準備部材等を備えなくてもよく、装置をコンパクトなものにすることができる。
また、本発明のはたおり機は、教材用としては勿論のこと、多品種少量のハギレ布を作るのにも適しており、無駄がなく、パッチワーク等のホビー用にも幅広く使用するものにすることができる。
【発明を実施するための最良の形態】
【００１２】
本発明にかかるはたおり機の最も好ましい実施の形態を図面に基づいて説明する。
図１は本発明にかかるはたおり機の構成を示す斜視図であって、図中符号１は、はたおり機を全体的に示す。
このはたおり機１は、平面視において矩形に形成された枠体２と、枠体２の長手方向（図１中矢印Ａ方向、当該方向を以下では前後方向とする）に略平行に張設された経糸３の中寄り部に後述する開口部（図４・図５参照）４・５を形成する開口具６と、開口具６で開口された開口部５に緯糸７を挿入する緯糸挿入具８と、開口部４・５に挿入された緯糸７を織前側に梳いて目を詰める筬打ち具９とを備えてなる。
【００１３】
上記経糸３ａ・３ｂを張設する枠体２の部分は、前後の一対の各辺１０・１０の上端部を左右の各辺１１・１１より１段高く形成し、この高く形成された部分の上下にスリット（掛止部）１２・１２・１２・・・を等間隔に形成してなる。
また、枠体２の左右の辺１１・１１は摺動可能な内外二重筒１１ａ・１１ｂで形成され、固定手段１３により内外二重筒１１ａ・１１ｂの前後の摺動が固定されるようになっている。
この固定手段１３は内方の筒１１ａに所定間隔置きに穿設した固定具嵌合孔１４と、外方の筒１１ｂに穿設した固定具挿入孔１５と、この固定具挿入孔１５から固定具嵌合孔１４に嵌合させる固定具１６とからなる。
【００１４】
緯糸挿入具８は両端部分が先細りの二股状の平板状に部材で形成され、図示は省略したがこの平板状の部分に緯糸７がまきつけられている。
上記筬打ち具９は、上半部分に形成された板状操作部１７と、下半部に経糸３の略全幅に渡って等間隔に垂下した櫛状の梳き部１８とからなる。
【００１５】
一方、枠体２の一対の対辺１０・１０に渡って張設された経糸３を上下に割って開口部４・５を形成する開口具６は、図１乃至図３に示すように、経糸３に平行な枠体の左右の各辺の側面部分に揺動可能に枢支された揺動アーム１９と、左右の両揺動アーム１９・１９間にわたって取り付けられた開口部支持部材２０と、開口部支持部材２０から下方に垂下された経糸挿通孔部材２１とからなり、経糸挿通孔部材２１に経糸挿通孔２２が形成されている。
上記揺動アーム１９は、弾性を有する合成樹脂により、２本のブラケット２３・２４を略４５度の角度で開かれて突き出された板状に形成され、揺動アーム１９の下方のブラケット２４の先端部分は枠体の内方に折り曲げられた部分で姿勢保持手段２５が形成されている。
【００１６】
すなわち、一方のブラケット２４の先端部分を折り曲げた部分２５で形成される上記姿勢保持手段２６は、枠体２と協働して揺動アーム１９の姿勢を保持するもので、揺動アーム１９が図２の状態にあるときは、当該折り曲げられた部分２５の上面部分２５ａが枠体２の下面２ａに当接し、経糸３ａの張力により揺動アーム１９が上方に揺動するのを阻止してその姿勢を保持する。
一方、揺動アーム１９が図３の状態にあるときは、当該折り曲げられた部分２５の下面部分２５ｂが枠体２の上面に形成された受け部２９に当接し、経糸３ａの張力により揺動アーム１９が下方に揺動するのを阻止してその姿勢を保持するようになっている。
【００１７】
また、開口部支持部材２０は、角棒状に形成され、その左右の両端部が上記揺動アーム１９の上方のブラケット２３に取り付けられており、合成樹脂により経糸挿通孔部材２１と一体に形成されている。
経糸挿通孔部材２１は、開口支持部材２０から下方に経糸挿通孔２２を有する経糸挿通孔部材２１を垂下したもので、経糸挿通孔２２の間隔は経糸３の１本置きの間隔にしてある（図１参照）。
なお、経糸挿通孔２２は、正面視において一側方に開口部分２７を有する略Ｃ形に形成され、そのＣ形の開口部分２７はここに挿通される経糸３ａの太さ以下にしてある。
【００１８】
上記のように構成されたはたおり機１を使用する手順を次に説明する。
先ず、枠体２の左右の長さを所望の長さにし、外方の筒１１ｂに穿設した固定具挿入孔１５から挿入した固定具１６を内筒１１ａの固定具嵌合孔１４に嵌合させ、枠体２の前後の長さを所望の長さに固定する。
次に、図２に示すように枠体２の前後の各辺１１・１１に形成されたスリット１２・１２・１２・・・間に糸を巻きつけて経糸３を形成して行く。
【００１９】
上記経糸３は、その１つ置きの経糸３ａを開口具６の経糸挿通孔２２にその開口部分２７から挿通され、他の経糸３ｂは前後のスリット１２・１２間に直線状に巻きつけられて経糸３が形成される。
このとき、はたおり機１の揺動アーム１９は図１及び図２のように下方のブラケット２４の先端部分を折り曲げた部分２５の上面部分２５ａが枠体２の下面に当接させた状態にしてあるので、当該折り曲げられた部分２５の上面部分２５ａが枠体２の下面２ａに当接し、経糸挿通孔２２に挿通された経糸３ａの張力により揺動アーム１９が上方に揺動するのが阻止され、経糸挿通孔２２に挿通されない経糸３ｂの下方に開口部（下部開口部）４が形成される（図４参照）。
この下部開口部４に緯糸７を巻きつけた緯糸挿入具８を、その緯糸７を所定の長さ分（経糸の幅であって、略織幅分の長さ分）引き出し、端部を経糸３外に残した状態で挿入して通過させる。
【００２０】
そして、緯糸挿入具８が通過し、緯糸７が下部開口部４に挿通されて所定の張力で左右に張られた後、図２の状態から揺動アーム１９の下方のブラケット２４を、その先端部分の折り曲げられた部分２５が枠体２の外側を通るように、弾性力に抗して左右外方に広げて揺動アーム１９を図３に示すように上方に揺動させる。
然る後、下方のブラケット２４を弾性復帰させると、下方のブラケット２４の折り曲げられた部分２５の下面部分２５ｂが枠体２の上面２ｂに形成された受け部２９に受け止められる。
揺動アーム１９の揺動により上方のブラケット２３に支持された経糸挿通孔２２が上昇する一方、折り曲げられた部分２５の下面部分２５ｂが枠体２の上面２ｂに形成された受け部２９に当接することにより、経糸挿通孔２２に挿通された経糸３ａの張力により揺動アーム１９が下方に揺動するのを阻止されている。
これにより、図５に示すように、経糸挿通孔２２に挿通されない経糸３ｂの上方に開口部（上部開口部）５が形成された姿勢が保持される。
【００２１】
この上部開口部５に緯糸７を打ち込む前に、前記図４で打ち込まれた緯糸７を図６に示すように筬打ち具９の櫛状の梳き部１８で織り前につめ、その後、図５に示すように上部開口部５に緯糸７を打ち込む。
上部開口部５への緯糸７の打ち込身が完了すると、再び揺動アーム１９の下方のブラケット２４をその先端部分の折り曲げられた部分２５が枠体２の外側を通るように、弾性力に抗して左右外方に広げて揺動アーム１９を下方に揺動させる。
しかる後、下方のブラケット２４を弾性復帰させて図２に示すように、再び下方のブラケット２４の曲げられた部分２５の上面部分２５ａが枠体２の下面２ａに当接した状態にし、経糸挿通孔２２に挿通されない経糸３ｂの下方に下部開口部４を形成する。
そして、下部開口部４が形成されると、図７に示すように、筬打ち具９の櫛状の梳き部１８で織り前につめ、その後、この下部開口部４に緯糸７を打ち込む。上記のような動作を繰り返すことにより、生地２８が織り上げられてゆく。
【００２２】
以上に説明したように、本発明のはたおり機１は、手動でゆっくりと生地２８を織り上げて行くので、織物の組織構造は勿論のこと、はたおり機１の基本的な動作並びに作用が簡単な操作で手にとるように解り、教材としても最適なものとなる。
また、経糸３や緯糸７を任意に変更できるので、好みに合わせた布切れ（生地２８）を簡単に形成することができるので、パッチワークの素材形成等、ホビー用にも至便なものとなる。
【図面の簡単な説明】
【００２３】
【図１】は本発明にかかるはたおり機の構成を示す斜視図である。
【図２】は本発明にかかるはたおり機の揺動アーム部分が下がった状態の側面図である。
【図３】は本発明にかかるはたおり機の揺動アーム部分が上がった状態の側面図である。
【図４】は本発明にかかるはたおり機における下部開口部を形成した状態の概略側面図である。
【図５】は本発明にかかるはたおり機における上部開口部を形成した状態の概略側面図である。
【図６】は本発明にかかるはたおり機で織成される生地の製織工程を示す概略側面図である。
【図７】は本発明にかかるはたおり機で織成される生地の製織工程を示す概略側面図である。
【符号の説明】
【００２４】
１・・・はたおり機
２・・・枠体
３・・・経糸
４・５・・・開口部
６・・・開口具
７・・・緯糸
８・・・緯糸挿入具
９・・・筬打ち具
１０・・・対辺（前後の辺）
１２・・・スリット（掛止部）
１９・・・揺動アーム
２２・・・経糸挿通孔
２６・・・姿勢保持手段
２８・・・生地
【図１】
2008280648.tif 000003
【図２】
2008280648.tif 000004
【図３】
2008280648.tif 000005
【図４】
2008280648.tif 000006
【図５】
2008280648.tif 000007
【図６】
2008280648.tif 000008
【図７】
2008280648.tif 000009